(57)【要約】【課題】サーバからキャプチャ画像データを受信し、受信したキャプチャ画像データに基づく映像を表示する、或いは、受信したキャプチャ画像データに基づく映像を表示装置に表示させる映像機器であって、当該映像機器が接続されているＬＡＮ内にサーバが複数台ある場合に所望のサーバを簡単に選択することができる映像機器を提供する。【解決手段】当該映像機器が接続されているＬＡＮ内にサーバが複数台ある場合に、複数台の前記サーバそれぞれからキャプチャ画像データを取得し、取得した複数台の前記サーバそれぞれからのキャプチャ画像をサムネイル表示する、或いは、取得した複数台の前記サーバそれぞれからのキャプチャ画像を前記表示装置にサムネイル表示させる映像機器。【選択図】図３
2012249243.tif 000002
【特許請求の範囲】
【請求項１】
サーバからキャプチャ画像データを受信し、受信したキャプチャ画像データに基づく映像を表示する、或いは、受信したキャプチャ画像データに基づく映像を表示装置に表示させる映像機器であって、
ＬＡＮに接続するためのネットワークインタフェースと、
前記ＬＡＮ内にある前記サーバを検索して前記ＬＡＮ内にある前記サーバを発見する発見部とを備え、
前記発見部によって発見された前記サーバが複数台ある場合に、複数台の前記サーバそれぞれからキャプチャ画像データを取得し、取得した複数台の前記サーバそれぞれからのキャプチャ画像をサムネイル表示する、或いは、取得した複数台の前記サーバそれぞれからのキャプチャ画像を前記表示装置にサムネイル表示させることを特徴とする映像機器。
【請求項２】
前記サムネイル表示を利用して選択される前記サーバからキャプチャ画像データを受信し、受信したキャプチャ画像データに基づく映像を表示する、或いは、受信したキャプチャ画像データに基づく映像を表示装置に表示させることを特徴とする請求項１に記載の映像機器。
【請求項３】
前記発見部によって発見された前記サーバが複数台ある場合に、複数台の前記サーバそれぞれからのキャプチャ画像のみならず複数台の前記サーバそれぞれのＩＰアドレスも取得し、前記サムネイル表示において複数台の前記サーバそれぞれのＩＰアドレスも合わせて表示する、或いは、前記サムネイル表示において複数台の前記サーバそれぞれのＩＰアドレスも合わせて前記表示装置に表示させることを特徴とする請求項１または請求項２に記載の映像機器。
【請求項４】
前記発見部によって発見された前記サーバが２台に達すると、直ちに前記サムネイル表示をする、或いは、前記表示装置に前記サムネイル表示をさせることを特徴とする請求項１〜３のいずれか１項に記載の映像機器。
【発明の詳細な説明】
【技術分野】
【０００１】
本発明は、映像を表示する、或いは、映像を表示装置に表示させる映像機器に関し、特にネットワーク接続機能を有する映像機器に関する。映像を表示する映像機器としては例えばテレビジョン受像機等が挙げられ、映像を表示装置に表示させる映像機器としては例えば光ディスク装置、ハードディスク装置、或いはこれらの複合機等が挙げられる。
【背景技術】
【０００２】
近年、ネットワーク接続機能を有する映像機器が普及している。そして、ネットワーク接続機能を有する映像機器は、一般的に、ネットワーク接続されたサーバから提供されたコンテンツを再生する構成である（例えば、特許文献１〜３参照）。この構成では、様々なフォーマットのコンテンツを再生可能とするためには、映像機器が様々なフォーマットをサポートしておく必要があった。
【０００３】
これに対して、サーバが、当該サーバの表示画面をキャプチャして得られるキャプチャ画像データを、ネットワーク経由で映像機器に送信し、映像機器が、受信したキャプチャ画像データに基づく映像を表示する、或いは、受信したキャプチャ画像データに基づく映像を表示装置に表示させる技術も普及している（例えば、Philips（登録商標） Media Connect）。当該技術では、映像機器は、受信したキャプチャ画像データを処理できるだけでよいので、様々なフォーマットをサポートしておく必要がないという利点がある。
【０００４】
当該技術を実現するためには、サーバが、キャプチャ画像データを用いたメディアコネクト用アプリケーションソフトウェアをインストールし、映像機器を、キャプチャ画像データを用いたメディアコネクト機能を有する構成にする。
【０００５】
ここで、キャプチャ画像データを用いたメディアコネクト機能を有する従来の映像機器の動作について図６を参照して説明する。キャプチャ画像データを用いたメディアコネクト機能がユーザ操作によって起動すると、従来の映像機器は図６に示すフロー動作を開始する。
【０００６】
まず、従来の映像機器は、従来の映像機器自身が接続されているＬＡＮ（Local Area Network）内に、キャプチャ画像データを用いたメディアコネクト用アプリケーションソフトウェアをインストールしており当該アプリケーションソフトウェアが起動しているサーバ（メディアコネクトサーバともいう）が存在するか否かの検索を開始する（ステップＳ１０１）。その後、従来の映像機器は、メディアコネクトサーバを発見したか否かを判定する（ステップＳ１０２）。
【０００７】
メディアコネクトサーバが発見されれば（ステップＳ１０２のＹＥＳ）、従来の映像機器は、発見したメディアコネクトサーバからキャプチャ画像データを受信し、受信したキャプチャ画像データに基づく映像を表示する、或いは、受信したキャプチャ画像データに基づく映像を表示装置に表示させる（ステップＳ１０３）。ステップＳ１０３に続くステップＳ１０４において、従来の映像機器は、キャプチャ画像データを用いたメディアコネクト機能の終了がユーザ操作によって指示されているか否かを判定する。キャプチャ画像データを用いたメディアコネクト機能の終了が指示されていなければ（ステップＳ１０４のＮＯ）、ステップＳ１０３に戻り、キャプチャ画像データを用いたメディアコネクト機能の終了が指示されていれば（ステップＳ１０４のＹＥＳ）、図６に示すフロー動作を終了する。
【０００８】
一方、メディアコネクトサーバが発見されなければ（ステップＳ１０２のＮＯ）、従来の映像機器は、検索開始から所定の時間が経過したか否かを判定し（ステップＳ１０５）、検索開始から所定の時間が経過していなければ（ステップＳ１０５のＮＯ）、ステップＳ１０２に戻り、検索開始から所定の時間が経過していれば（ステップＳ１０５のＹＥＳ）、図６に示すフロー動作を終了する。
【先行技術文献】
【特許文献】
【０００９】
【特許文献１】特開２００８−１３１２３１号公報
【特許文献２】特開２００５−１９１８０２号公報
【特許文献３】特開２００５−７８１６４号公報
【発明の概要】
【発明が解決しようとする課題】
【００１０】
上述した従来の映像機器が接続されているＬＡＮ内に複数のメディアコネクトサーバがある場合、従来の映像機器は最初に発見したメディアコネクトサーバからのキャプチャ画像データを受信することになる。
【００１１】
このため、従来の映像機器によって最初に発見されるメディアコネクトサーバが所望のメディアコネクトサーバで無い場合、従来の映像機器によって最初に発見されるメディアコネクトサーバが所望のメディアコネクトサーバになる迄キャプチャ画像データを用いたメディアコネクト機能の再起動を繰り返すか、所望のメディアコネクトサーバ以外のメディアコネクトサーバをＬＡＮから外してからキャプチャ画像データを用いたメディアコネクト機能を再起動するかのいずれかの対応が必要となり、不便であった。
【００１２】
本発明は、上記の状況に鑑み、サーバからキャプチャ画像データを受信し、受信したキャプチャ画像データに基づく映像を表示する、或いは、受信したキャプチャ画像データに基づく映像を表示装置に表示させる映像機器であって、当該映像機器が接続されているＬＡＮ内にサーバが複数台ある場合に所望のサーバを簡単に選択することができる映像機器を提供することを目的とする。
【課題を解決するための手段】
【００１３】
上記目的を達成するために本発明に係る映像機器は、サーバからキャプチャ画像データを受信し、受信したキャプチャ画像データに基づく映像を表示する、或いは、受信したキャプチャ画像データに基づく映像を表示装置に表示させる映像機器であって、ＬＡＮに接続するためのネットワークインタフェースと、前記ＬＡＮ内にある前記サーバを検索して前記ＬＡＮ内にある前記サーバを発見する発見部とを備え、前記発見部によって発見された前記サーバが複数台ある場合に、複数台の前記サーバそれぞれからキャプチャ画像データを取得し、取得した複数台の前記サーバそれぞれからのキャプチャ画像をサムネイル表示する、或いは、取得した複数台の前記サーバそれぞれからのキャプチャ画像を前記表示装置にサムネイル表示させる構成とする。
【００１４】
このような構成によると、ユーザはどのサーバが所望のサーバであるかを把握することができ、所望のサーバを簡単に選択することができる。
【００１５】
また、前記サムネイル表示を利用して選択される前記サーバからキャプチャ画像データを受信し、受信したキャプチャ画像データに基づく映像を表示する、或いは、受信したキャプチャ画像データに基づく映像を表示装置に表示させるようにしてもよい。
【００１６】
このような構成によると、サムネイル表示を利用して所望のサーバを選択することができるので、ユーザが所望のサーバを選択する際に行う操作が簡単になる。
【００１７】
また、前記発見部によって発見された前記サーバが複数台ある場合に、複数台の前記サーバそれぞれからのキャプチャ画像のみならず複数台の前記サーバそれぞれのＩＰアドレスも取得し、前記サムネイル表示において複数台の前記サーバそれぞれのＩＰアドレスも合わせて表示する、或いは、前記サムネイル表示において複数台の前記サーバそれぞれのＩＰアドレスも合わせて前記表示装置に表示させるようにしてもよい。
【００１８】
このような構成によると、ＩＰアドレスを表示しない場合に比べて、ユーザはどのサーバが所望のサーバであるかを容易に把握することができる。
【００１９】
また、前記発見部によって発見された前記サーバが２台に達すると、直ちに前記サムネイル表示をする、或いは、前記表示装置に前記サムネイル表示をさせるようにしてもよい。
【００２０】
このような構成によると、前記ＬＡＮ内にサーバが複数台存在している場合、ユーザが待ち時間を長く感じてしまうことを防止することができる。
【発明の効果】
【００２１】
本発明に係る映像機器によると、サーバからキャプチャ画像データを受信し、受信したキャプチャ画像データに基づく映像を表示する、或いは、受信したキャプチャ画像データに基づく映像を表示装置に表示させることができ、さらに、当該映像機器が接続されているＬＡＮ内にサーバが複数台ある場合に所望のサーバを簡単に選択することができる。
【図面の簡単な説明】
【００２２】
【図１】本発明の一実施形態に係る光ディスク記録再生装置の概略構成を示す図である。
【図２】本発明の一実施形態に係る光ディスク記録再生装置の動作を示すフローチャートである。
【図３】サムネイル画面の一例を示す図である。
【図４】サムネイル画面の他の例を示す図である。
【図５】本発明の一実施形態に係る光ディスク記録再生装置の他の動作を示すフローチャートである。
【図６】キャプチャ画像データを用いたメディアコネクト機能を有する従来の映像機器の動作を示すフローチャートである。
【発明を実施するための形態】
【００２３】
本発明の実施形態について図面を参照して以下に説明する。本発明の一実施形態に係る光ディスク記録再生装置の概略構成を図１に示す。
【００２４】
本発明の一実施形態に係る光ディスク記録再生装置は、キャプチャ画像データを用いたメディアコネクト機能を有する映像機器であって、チューナ１と、映像音声処理部２と、ＯＳＤ（On Screen Display）部３と、出力部４と、光ディスク記録再生部５と、制御部６と、不揮発性メモリ７と、受光部８と、ネットワークインタフェース９とを備えている。なお、制御部６は請求項に記載されている「発見部」に対応している。制御部６には例えばＣＰＵ（Central Processing Unit）を用いるとよい。
【００２５】
チューナ１は、アンテナ１０から受け取ったテレビ放送信号の選局及び復調（例えばＯＦＤＭ（Orthogonal Frequency Division Multiplexing）復調）を行う。映像音声処理部２は、チューナ１から受け取った映像音声信号又は光ディスク記録再生部５で再生された映像音声信号を出力部４に送ったり、チューナ１から受け取った映像音声信号を光ディスク記録再生部５に送ったり、ネットワークインタフェース９が受信したキャプチャ画像データを処理して出力部４に送ったりする。ＯＳＤ部３は、制御部６からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。本発明の一実施形態に係る光ディスク記録再生装置に接続される表示装置（例えばテレビジョン受像機）１１は、出力部４の出力信号に基づく映像表示および音声出力を行う。
【００２６】
光ディスク記録再生部５は、映像音声処理部２から受け取った映像音声信号を光ディスクに記録したり、光ディスクに記録されている映像音声信号を再生したりする。なお、光ディスクは、光ディスク記録再生部５に対して着脱自在に装着される。
【００２７】
受光部８は、リモコン送信機（不図示）から送信されたリモコン赤外線信号を受光して電気信号に変換し、さらにその電気信号から操作コードを抽出して制御部６に出力する。制御部６は、不揮発性メモリ７に格納されている制御プログラム及び各種設定（例えば、各操作コードと各機能との対応関係を示すデータテーブル等）と、受光部８から受け取った操作コードと、本発明の一実施形態に係る光ディスク記録再生装置の本体に設けられている操作キー群（不図示）から出力される信号によって定まる操作コードとに応じて、本発明の一実施形態に係る光ディスク記録再生装置の各部を制御する。
【００２８】
ネットワークインタフェース９は、ＬＡＮ１２によって複数のパーソナルコンピュータ１３にネットワーク接続されている。複数のパーソナルコンピュータ１３のうち、キャプチャ画像データを用いたメディアコネクト用アプリケーションソフトウェアをインストールしており当該アプリケーションソフトウェアが起動しているパーソナルコンピュータが、メディアコネクトサーバとなる。ＬＡＮ１２は、有線ＬＡＮ、無線ＬＡＮのいずれであってもよく、また、有線ＬＡＮと無線ＬＡＮの組み合わせであってもよい。
【００２９】
次に、本発明の一実施形態に係る光ディスク記録再生装置の動作について図２を参照して説明する。キャプチャ画像データを用いたメディアコネクト機能がユーザ操作によって起動すると、本発明の一実施形態に係る光ディスク記録再生装置は図２に示すフロー動作を開始する。
【００３０】
まず、本発明の一実施形態に係る光ディスク記録再生装置は、ＬＡＮ１２内にメディアコネクトサーバが存在するか否かの検索を開始する（ステップＳ１０）。その後、本発明の一実施形態に係る光ディスク記録再生装置は、検索開始から所定の時間が経過したか否かを判定し（ステップＳ２０）、検索開始から所定の時間が経過していなければ（ステップＳ２０のＮＯ）、ステップＳ１０に戻り、検索開始から所定の時間が経過していれば（ステップＳ２０のＹＥＳ）、発見したメディアコネクトサーバの台数を確認する（ステップＳ３０）。具体的には、ステップＳ１０において、本発明の一実施形態に係る光ディスク記録再生装置は、メディアコネクトサーバ検索用のコマンドを送信し、当該コマンドに応答したメディアコネクトサーバからの返信を受信することで、ＬＡＮ１２内のメディアコネクトサーバを発見している。メディアコネクトサーバは、上記の返信を本発明の一実施形態に係る光ディスク記録再生装置に対して行ってから後、本発明の一実施形態に係る光ディスク記録再生装置がキャプチャ画像データを用いたメディアコネクト機能の終了を通知してくる迄の間、当該メディアコネクトサーバの表示画面を周期的にキャプチャし、そのキャプチャによって得られるキャプチャ画像データをネットワーク経由で本発明の一実施形態に係る光ディスク記録再生装置に送信する。
【００３１】
ステップＳ３０での確認の結果、発見したメディアコネクトサーバが２台以上である場合、本発明の一実施形態に係る光ディスク記録再生装置は、各メディアコネクトサーバからキャプチャ画像データを取得し（ステップＳ４０）、各メディアコネクトサーバのキャプチャ画像を表示装置１１にサムネイル表示させる（ステップＳ５０）。例えば、メディアコネクトサーバが３台である場合、本発明の一実施形態に係る光ディスク記録再生装置は、図３に示すようなサムネイル画面を表示装置１１に表示させる。サムネイル画像１４は１台目のメディアコネクトサーバのキャプチャ画像をサムネイル表示したものであり、サムネイル画像１５は２台目のメディアコネクトサーバのキャプチャ画像をサムネイル表示したものであり、サムネイル画像１６は３台目のメディアコネクトサーバのキャプチャ画像をサムネイル表示したものである。なお、ステップＳ４０において、各メディアコネクトサーバからキャプチャ画像データのみならず各メディアコネクトサーバのＩＰアドレスも取得するようにし、ステップＳ５０のサムネイル表示においてＩＰアドレスも合わせて表示するようにしてもよい。この場合、例えば図４に示すようなサムネイル画面になる。
【００３２】
ステップＳ５０に続くステップＳ６０において、本発明の一実施形態に係る光ディスク記録再生装置は、ユーザ操作によってメディアコネクトサーバの選択が有ったか否かを判定する（ステップＳ６０）。メディアコネクトサーバを選択する方法としては、例えば、図３や図４に示すようなサムネイル画面において、選択されるメディアコネクトサーバのサムネイル表示されたキャプチャ画像をハイライト表示し、リモコン送信機（不図示）の十字キー操作によってハイライト表示位置が変更し、リモコン送信機（不図示）の決定キー操作によってメディアコネクトサーバの選択が確定するようにすればよい。
【００３３】
キャプチャ画像データを用いたメディアコネクト機能では、各メディアコネクトサーバには同一のサーバ名が付与されるので、メディアコネクトサーバが複数台発見したときにサーバ名を一覧表示する形態にした場合、ユーザはどのメディアコネクトサーバが所望のメディアコネクトサーバであるかを把握することができず、所望のメディアコネクトサーバを簡単に選択することができない。これに対して、本発明の一実施形態に係る光ディスク記録再生装置のようにメディアコネクトサーバが複数台発見したときにメディアコネクトサーバのキャプチャ画像を表示装置１１にサムネイル表示させる構成にすると、ユーザはどのメディアコネクトサーバが所望のメディアコネクトサーバであるかを把握することができ、所望のメディアコネクトサーバを簡単に選択することができる。なお、サムネイル表示においてＩＰアドレスも合わせて表示するようにした場合、ＩＰアドレスを表示しない場合に比べて、ユーザはどのメディアコネクトサーバが所望のメディアコネクトサーバであるかを容易に把握することができる。
【００３４】
メディアコネクトサーバの選択が無ければ（ステップＳ６０のＮＯ）、本発明の一実施形態に係る光ディスク記録再生装置は、サムネイル表示開始から所定の時間が経過したか否かを判定し（ステップＳ９０）、サムネイル表示開始から所定の時間が経過していなければ（ステップＳ９０のＮＯ）、ステップＳ６０に戻り、サムネイル表示開始から所定の時間が経過していれば（ステップＳ９０のＹＥＳ）、図２に示すフロー動作を終了する。
【００３５】
一方、メディアコネクトサーバの選択が有れば（ステップＳ６０のＹＥＳ）、本発明の一実施形態に係る光ディスク記録再生装置は、選択したメディアコネクトサーバからキャプチャ画像データを受信し、受信したキャプチャ画像データに基づく映像を表示装置１１に表示させる（ステップＳ７０）。ステップＳ７０に続くステップＳ８０において、本発明の一実施形態に係る光ディスク記録再生装置は、キャプチャ画像データを用いたメディアコネクト機能の終了がユーザ操作によって指示されているか否かを判定する。キャプチャ画像データを用いたメディアコネクト機能の終了が指示されていなければ（ステップＳ８０のＮＯ）、ステップＳ７０に戻り、キャプチャ画像データを用いたメディアコネクト機能の終了が指示されていれば（ステップＳ８０のＹＥＳ）、図２に示すフロー動作を終了する。
【００３６】
また、ステップＳ３０での確認の結果、発見したメディアコネクトサーバが１台である場合、直ちにステップＳ７０に移行し、本発明の一実施形態に係る光ディスク記録再生装置は、発見したメディアコネクトサーバを、選択したメディアコネクトサーバとみなしてステップＳ７０の処理を実行する。また、ステップＳ３０での確認の結果、発見したメディアコネクトサーバが０台である場合、直ちに図２に示すフロー動作を終了する。したがって、発見したメディアコネクトサーバが０台あるいは１台である場合、本発明の一実施形態に係る光ディスク記録再生装置は、キャプチャ画像データを用いたメディアコネクト機能を有する従来の映像機器と同様の動作を行うことになる。
【００３７】
図２に示すフロー動作では、ＬＡＮ１２内のメディアコネクトサーバが複数台存在している場合、ＬＡＮ１２内にメディアコネクトサーバが存在するか否かの検索開始から所定の時間が経過しなければ、図３や図４に示すようなサムネイル画面が表示装置１１に現れないため、ユーザが待ち時間を長く感じてしまう。このため、図２に示すフロー動作を図５に示すフロー動作に変更することがより好ましい。
【００３８】
図５に示すフロー動作は、図２に示すフロー動作からステップＳ２０及びステップＳ３０を取り除き、ステップＳ１１、ステップＳ１２、及びステップＳ１３を追加したものである。
【００３９】
図５に示すフロー動作においては、ステップＳ１０の後、本発明の一実施形態に係る光ディスク記録再生装置は、発見したメディアコネクトサーバが２台に達したか否かを判定する（ステップＳ１１）。
【００４０】
発見したメディアコネクトサーバが２台に達していれば（ステップＳ１１のＹＥＳ）、直ちにステップＳ４０に移行し、さらにステップＳ５０に移行する。これにより、発見したメディアコネクトサーバが２台に達すると、すぐに２台のメディアコネクトサーバのサムネイル表示されたキャプチャ画像を有するサムネイル画面が表示装置１１に現れることになる。そして、ステップＳ４０に移行後もステップＳ１０の検索開始から所定の時間が経過する迄は、メディアコネクトサーバの検索を継続するようにし、メディアコネクトサーバが追加して発見される毎に、追加して発見されたメディアコネクトサーバのサムネイル表示されたキャプチャ画像がサムネイル画面に追加されるようにする。これにより、ＬＡＮ１２内のメディアコネクトサーバが複数台存在している場合、ユーザが待ち時間を長く感じてしまうことを防止することができる。また、全てのメディアコネクトサーバが発見される前であっても、所望のメディアコネクトサーバのサムネイル表示されたキャプチャ画像がサムネイル画面に現れた時点で、所望のメディアコネクトサーバを選択することができるので、所望のメディアコネクトサーバを選択するのに要する時間を短縮することができる可能性がある。
【００４１】
一方、発見したメディアコネクトサーバが２台に達していなければ（ステップＳ１１のＮＯ）、本発明の一実施形態に係る光ディスク記録再生装置は、検索開始から所定の時間が経過したか否かを判定し（ステップＳ２１２）、検索開始から所定の時間が経過していなければ（ステップＳ１２のＮＯ）、ステップＳ１１に戻り、検索開始から所定の時間が経過していれば（ステップＳ１２のＹＥＳ）、発見したメディアコネクトサーバの台数を確認する（ステップＳ１３）。ステップＳ１３での確認の結果、発見したメディアコネクトサーバが１台である場合、直ちにステップＳ７０に移行し、本発明の一実施形態に係る光ディスク記録再生装置は、発見したメディアコネクトサーバを、選択したメディアコネクトサーバとみなしてステップＳ７０の処理を実行する。また、ステップＳ１３での確認の結果、発見したメディアコネクトサーバが０台である場合、直ちに図５に示すフロー動作を終了する。
【００４２】
以上、本発明に係る実施形態について説明したが、本発明の範囲はこれに限定されるものではなく、発明の主旨を逸脱しない範囲で種々の変更を加えて実行することができる。
【００４３】
例えば、上述した実施形態では、本発明に係る映像機器の一例として、光ディスク記録再生装置について説明したが、例えばテレビジョン受像機等にも本発明を適用することができる。
【符号の説明】
【００４４】
１  チューナ
２  映像音声処理部
３  ＯＳＤ部
４  出力部
５  光ディスク記録再生部
６  制御部
７  不揮発性メモリ
８  受光部
９  ネットワークインタフェース
１０  アンテナ
１１  表示装置
１２  ＬＡＮ
１３  パーソナルコンピュータ
１４〜１６  サムネイル画像
【図１】
2012249243.tif 000003
【図２】
2012249243.tif 000004
【図３】
2012249243.tif 000005
【図４】
2012249243.tif 000006
【図５】
2012249243.tif 000007
【図６】
2012249243.tif 000008